(57)【要約】【課題】１８０度回転させて積み重ねなくても、積み重ねた際にリブが広がるなどの変形を防止して被収納物を確実に保護できる収納用トレーを提供する。【解決手段】山型のリブ３３が収納用トレー３０の周囲を囲んで設けられ、下方に積み重ねたリブ３３の上端３５が、下端面３８ｂに当接するようにリブ３３の裏側における内壁３３ｂからリブの裏側内に突出して形成された第１当接部３８が設けられ、第１当接部３８の下端面３８ｂと同一平面となるように形成され且つ第１当接部３８の下端面３８ｂとともにリブ３３の裏側をほぼ閉塞するように形成された下端面４０ｃを有し、下方に積み重ねたリブ３３の上端３５が、第１当接部３８の下端面３８ｂとともに下端面４０ｃに当接するように、リブの裏側における外壁３３ａからリブ３３の裏側内に突出して形成された第２当接部４０が、各辺において少なくとも１箇所ずつ設けられている。【選択図】図１
2013049466.tif 000002
【特許請求の範囲】
【請求項１】
被収納物を収納する収納凹部が形成されている収納用トレーにおいて、
収納凹部の全部又は一部を構成する山型のリブが、収納用トレーの周囲を囲んで設けられ、
下方に積み重ねたリブの上端が、下端面に当接するようにリブの裏側における内側内壁面からリブの裏側内に突出して形成された第１当接部が設けられ、
前記第１当接部の下端面と同一平面となるように形成され且つ前記第１当接部の下端面とともに当該リブの裏側をほぼ閉塞するように形成された下端面を有し、前記下方に積み重ねたリブの上端が、前記第１当接部の下端面とともに当該下端面に当接するように、リブの裏側における外側内壁面からリブの裏側内に突出して形成された第２当接部が設けられ、
前記第１当接部及び前記第２当接部が設けられている箇所が、各辺において少なくとも１箇所ずつ設けられていることを特徴とする収納用トレー。
【請求項２】
前記第２当接部は、
下方に向かうに従って徐々に内壁面側に突出する長さが長くなる逆テーパ状であることを特徴とする請求項１記載の収納用トレー。
【請求項３】
前記第１当接部と前記第２当接部とが熱溶着されていることを特徴とする請求項１又は請求項２記載の収納用トレー。
【発明の詳細な説明】
【技術分野】
【０００１】
本発明は、被収納物を収納する収納凹部が形成された収納用トレーに関する。
【背景技術】
【０００２】
電子部品等を保管・運送する際には、電子部品等の被収納物を収納可能となるように複数の収納凹部が形成された収納用トレーが用いられる。
収納用トレーとしては、ポリプロピレン、ポリスチレン、ＰＥＴ等の平板状の合成樹脂を真空成形することによって形成されることが一般的である。
【０００３】
なお、収納用トレーとしては、被収納物を収納した後、複数枚積み重ねて搬送させることができるように形成されている。
例えば、図６に示す収納用トレー１０は、１つのトレーで複数個の被収納物を収納できるように、被収納物の大きさに凹んで形成された収納凹部１２が複数の区画に設けられている。収納凹部１２は、合成樹脂材が上方に突出するように形成されてなるリブ１３に周囲を囲まれて形成されている。
また、収納用トレー１０の最外周に位置する各リブ１３の下端部には、外方に向けて突出する鍔部１４が形成されている。
【０００４】
積み重ねの際には、積み重ねた際の上段に位置する収納用トレーのリブ１３の底面１３ａを下段に位置するリブ１３の上面１３ｂに当接させるようにして、リブ１３の没入を防止するようにしている（例えば、特許文献１参照）。
【０００５】
また、特許文献２には、溝部の内壁面に内方に突出する当接部を設ける構成が開示されている。このような構成の収納用トレーを積み重ねると、当接部の上面にリブの底面が載置され、上下方向の間隔が保持される。
このように、溝部内でリブの底面を保持するようにしたことにより、積み重ねた収納用トレーに荷重がかかって、リブの外側が広がってしまっても溝部内の当接部の位置は変わらず、上下方向の間隔は保持することができる。
【先行技術文献】
【特許文献】
【０００６】
【特許文献１】特開平１０−２７３４１５号公報
【特許文献２】特開２００７−２８４１２８号公報
【特許文献３】特開２００８−４４６３６号公報
【発明の開示】
【発明が解決しようとする課題】
【０００７】
特許文献１に示したような収納用トレーにおいては、被収納物を収納し、複数の収納用トレーを上下方向に複数積み重ねた場合に、収納凹部に重量がかかりすぎてしまうとリブが広がって鍔部が上向きに反ってしまう変形（図６のＡ部分）が生じるおそれがある。このような変形によって、上段に位置するリブの底面が下段に位置するリブの上面からずれるので、リブが没入してしまい、被収納物の確実な保護が行えなくなるという課題があった。
【０００８】
また、近年は、軽量化の要求やコストダウンの要求により、合成樹脂材をさらに薄くすべく開発が進められているが、合成樹脂材を薄くすると強度が弱くなってしまい、収納用トレーの変形が起こりやすい状況にあるので、さらに強度を維持する構造が望まれている。
【０００９】
特許文献２に開示された構成では、特許文献１のリブの没入という課題は解決されている。特許文献２では、上方に向けて開口した溝部内に当接部を形成している溝部は、収納凹部を構成するリブと、溝部の外側に形成されたリブとの間に形成されている。
このように、リブが二重に構成されるものであれば問題無いが、収納凹部を構成するリブがそのまま外壁を構成するような、リブが一重の構成においてもリブの没入を防止し、
被収納物の確実な保護を行いたいという課題がある。
【００１０】
ところで、リブの没入を防止するために、収納用トレーの向きを１８０度回転させて積み重ねる方式の構成も従来より知られているものである（例えば、特許文献３）。
このような収納用トレーは、被収納物を収納するときには、積み重ね時に交互に１８０度向きを回転させて積み重ねた収納用トレーを一定間隔で保持することができ、また被収納物を収納していないときは容積が小さくなるように全て同じ向きで積み重ねて上下の間隔を狭めることができる。
このような構成であれば、リブが一重の構成であってもリブの没入を防止できるようにすることができる。
【００１１】
ただし、収納用トレーを使用する企業にとっては、１８０度回転させて積み重ねることに抵抗がある場合もある。つまり、回転させる分だけ積み重ねの時間がかかるためである。
【００１２】
したがって、本発明は上記課題を解決すべくなされ、その目的とするところは、１８０度回転させて積み重ねなくても、積み重ねた際にリブが広がるなどの変形を防止して被収納物を確実に保護できる収納用トレーを提供することにある。
【課題を解決するための手段】
【００１３】
本発明にかかる収納用トレーによれば、被収納物を収納する収納凹部が形成されている収納用トレーにおいて、収納凹部の全部又は一部を構成する山型のリブが、収納用トレーの周囲を囲んで設けられ、下方に積み重ねたリブの上端が、下端面に当接するようにリブの裏側における内側内壁面からリブの裏側内に突出して形成された第１当接部が設けられ、前記第１当接部の下端面と同一平面となるように形成され且つ前記第１当接部の下端面とともに当該リブの裏側をほぼ閉塞するように形成された下端面を有し、前記下方に積み重ねたリブの上端が、前記第１当接部の下端面とともに当該下端面に当接するように、リブの裏側における外側内壁面からリブの裏側内に突出して形成された第２当接部が設けられ、前記第１当接部及び前記第２当接部が設けられている箇所が、各辺において少なくとも１箇所ずつ設けられていることを特徴としている。
この構成を採用することによって、上下方向に複数枚積み重ねると、第１当接部と第２当接部の下端面に、下方に位置する収納用トレーのリブの上端が当接し、上下方向の間隔を確保する。また、リブが広がったとしても第１当接部と第２当接部の双方の存在によって、下方のリブの上端が第１当接部と第２当接部の下端面よりも上方に抜けてしまうことがなく、いわゆるリブの没入を防止できる。
【００１４】
また、前記第２当接部は、下方に向かうに従って徐々に内壁面側に突出する長さが長くなる逆テーパ状であることを特徴としてもよい。
この構成によれば、第２当接部は外壁側に形成されているので、逆テーパ状に形成されているも成型完了時に金型から無理に広げて抜くことができる。
【００１５】
さらに、前記第１当接部と前記第２当接部とが熱溶着されていることを特徴としてもよい。
すなわち、リブの裏側において第１当接部と第２当接部とは接近して形成されているので、熱溶着も可能である。そして、第１当接部と第２当接部とが熱溶着されることによって、リブが広がることを確実に防止することができる。
【発明の効果】
【００１６】
本発明の収納用トレーによれば、積み重ねた際のリブが広がって没入してしまうことを防止し、被収納物を確実に保護することができる。
【図面の簡単な説明】
【００１７】
【図１】本発明の収納用トレーの斜視図である。
【図２】収納用トレーの平面図である。
【図３】収納用トレーの断面形状を示す図２のＢ−Ｂ断面図である。
【図４】収納用トレーを積み重ねた場合の断面図である。
【図５】第１当接部と第２当接部とを熱溶着により固定した構成を示す斜視図である。
【図６】従来の収納用トレーを積み重ねたところを示す断面図である。
【発明を実施するための形態】
【００１８】
以下、本発明の好適な実施の形態を添付図面に基づいて詳細に説明する。
図１は収納用トレーの斜視図、図２は収納用トレーの平面図である。図３は収納用トレーの図２のＢ−Ｂ部分の断面図である。図４は、収納用トレーを積み重ねた場合の断面図である。
収納用トレー３０は、ポリプロピレン、ポリスチレン、ＰＥＴ等の平板状の合成樹脂材を真空成形加工して凹凸を設けて形成されたものであり、電子部品等の被収納物（図示せず）を収納するための凹みである収納凹部３２が形成されている。
収納用トレー３０は、被収納物を収納凹部３２に収納した後、複数枚積み重ねられて使用され、この積み重ねた状態で被収納物の保管または運送等がされる。
【００１９】
収納用トレー３０は、複数の被収納物を収納可能なように、複数の収納凹部３２がその周囲の一部を、上方に突出する山型状のリブ３３によって囲まれて形成されている。
本実施形態では、例として収納凹部３２は縦３列横２列の計６個が形成されている。このような６個の収納凹部３２は山型のリブが周囲を囲むことにより形成されるが、収納用トレー３０全体は、平面視長方形状のリブ３３によって周囲を囲まれることによって収納用トレー３０の形成されている。すなわち、収納凹部３２の周囲は一重のリブ３３によって囲まれ、リブ３３の外壁３３ａは、収納用トレー３０そのものの外壁となっている。
【００２０】
各収納凹部３２の形状は、被収納物の形状によって様々な形状を取りうるが、本実施形態では平面視長方形状の単純なものを例として図示している。
また、収納凹部３２の個数も、ここで示すように６個ものに限定するものではない。
【００２１】
リブ３３は、全体として山型状に形成されており、上方に向けて立ち上げられて成る２枚の側壁３３ａ，３３ｂと、両側壁の上端部を連結するように形成された上面３５とを有している。２枚の側壁３３ａ，３３ｂは、外方側に位置して上方に立ち上がっている外壁３３ａと、内方側で上方に立ち上がっている内壁３３ｂの２枚である。なお、本実施形態では、内壁３３ｂが収納凹部３２の内壁面を形成し、上記のように外壁３３ａが収納用トレー３０そのものの外壁を形成している。
また、リブ３３の外壁３３ａの下端部には、外方に向けて突出する鍔部４１が形成されている。
【００２２】
なお、隣接する収納凹部３２の間は、山型状に形成されて上方に向けて立ち上げられて成る仕切りリブ３１によって仕切られる。仕切りリブ３１も収納凹部３２を形成するが、ここでいうリブ３３とは、収納用トレー３０内で複数の収納凹部３２の外縁を形成する長方形状のものとする。
【００２３】
リブ３３の所定箇所には、積み重ねた際に下方のリブ３３の上面３５が当接するための当接部が形成されている。当接部としては、内壁３３ｂからリブ３３の内方に突出する第１当接部３８と、外壁３３ａからリブ３３の内方に突出する第２当接部４０とが形成される。
【００２４】
第１当接部３８は、リブ３３の所定箇所において、内壁３３ｂが外側（裏側）に凹むことで形成される。側面視すると、第１当接部３８はほぼ三角形状をなしており、上下方向に延びる外壁３８ａは鉛直方向に延びるように形成されている。また、外壁３８ａの下端部とリブ３３の内壁３３ｂとを連結する下端面３８ｂは、水平方向に延びるように形成されている。
この下端面３８ｂに、下方のリブ３３の上面３５が当接し、所定の間隔を保って積み重ねが行われる。
【００２５】
また、第１当接部３８の外壁３８ａを鉛直方向に延びるように形成することにより、収納用トレー３０の製造時に金型（図示せず）から抜くことが容易に行われる。すなわち、本収納用トレー３０は、金型に平板状の合成樹脂材を装着し、真空成形した後に金型から成形品を取り外して完成するが、外壁３８ａが鉛直に向くようになっているので、金型から抜くことが容易にできる。
【００２６】
一方、第２当接部４０は、リブ３３の所定箇所において、外壁３３ａから内方（裏側）に凹むことで形成される。
第２当接部４０の位置は、第１当接部３８の形成位置と対向する位置である。
第２当接部４０を側面視すると、第２当接部４０は、上面４０ａがテーパ状（逆テーパ）をなした四角形状である。上面４０ａは、外壁３３ａの途中位置から内方に向けて突出し、その突出長さが下方に向かうにしたがって徐々に長くなるような形状となっている。第２当接部４０の内壁４０ｂは、上面４０ａの下端部から下方に向け、第１当接部３８の外壁３８ａとほぼ平行（すなわち鉛直方向）に延びるように形成されている。また、また、内壁４０ｂの下端部とリブ３３の外壁３３ａとを連結する下端面４０ｃは、水平方向に延びるように形成されている。
【００２７】
第２当接部４０の下端面４０ｃは、第１当接部３８の下端面３８ｂと同一の高さ位置、換言すれば同一平面上に位置している。
また、第２当接部４０の内壁４０ｂと、第１当接部３８の外壁３８ａとの間隔は、非常にわずかな隙間Ｈのみを空けて形成されている。隙間Ｈとしては０．５ｍｍ程度を想定している。
【００２８】
このような構成により、第１当接部３８の下端面３８ｂと、第２当接部４０の下端面４０ｃとがリブ３３の所定位置では、ほぼリブ３３内を閉塞するようになる。このため、下方に位置する収納用トレー３０のリブ３３の上面３５が、リブ３３内に進入した際、第１当接部３８の下端面３８ｂと第２当接部４０の下端面４０ｃの双方に当接する。
したがって、リブ３３の内部では下方の収納用トレー３０のリブ３３が確実に位置決めされ、下方のリブ３３が没入してしまうことがない。また、たとえリブ３３の外壁３３ａが外方にひろがってしまうような自体が生じたとしても、第１当接部３８の下端面３８ｂには下方のリブ３３の上面３５が確実に当接しているため、下方のリブ３３が没入してしまうことがない。
【００２９】
さらに、下方のリブ３３の外壁３３ａ及び内壁３３ｂが、進入したリブ３３内において外壁３３ａ及び内壁３３ｂによって水平方向にも保持される。このため、リブ３３の内部において、下方の収納用トレー３０のリブ３３の位置決めがさらに確実なものとなる。
【００３０】
なお、第２当接部４０の上面４０ａが逆テーパとなっており、本来であれば製造の際、金型から抜きにくい形状である。しかし、第２当接部４０は、リブ３３の外壁３３ａに形成されているので、リブ３３を外側に開くように変形させるだけで金型からの抜きを容易に行うことができる。
【００３１】
上述してきたような、第１当接部３８及び第２当接部４０は、長方形状のリブ３３の各辺に少なくとも１箇所ずつ設ける。各辺に第１当接部３８及び第２当接部４０を設けることで、リブ３３を構成する全ての辺において、積み重ねた際のリブ３３の没入を防止することができる。
【００３２】
ちなみに本実施形態では、複数の収納凹部３２に対してそれぞれ１箇所に各当接部３８，４０を設けているので、長辺では３箇所、短辺では２箇所に各当接部３８，４０が形成されることとなる。
【００３３】
なお、他の実施形態として、図５に示すように、第１当接部３８と第２当接部４０とを熱溶着によって固定するようにしてもよい。具体的には、第１当接部３８の外壁３８ａと、第２当接部４０の内壁４０ｂとの一部を加熱して接触させることで行う。
このような構成を採用すると、リブ３３の外壁３３ａが外側に開くように変形することが無くなるので、リブ３３の没入を防止し、被収納物を確実に保護することができる。
【００３４】
なお、上述してきた実施形態においては、第１当接部と第２当接部の数は同じとしたが、第１当接部と第２当接部の数は異なってもよい。例えば、幅広の第１当接部に対して複数の幅狭の第２当接部を設けてもよい。
また、第２当接部はリブの途中から内側に凹む構成であったが、リブの上端から内側に凹む構成であってもよい。
【００３５】
以上本発明につき好適な実施形態を挙げて種々説明したが、本発明はこの実施形態に限定されるものではなく、発明の精神を逸脱しない範囲内で多くの改変を施し得るのはもちろんである。
【符号の説明】
【００３６】
３０   収納用トレー
３１   仕切りリブ
３２   収納凹部
３３   リブ
３３ａ 外壁
３３ｂ 内壁
３５   上面
３８   第１当接部
３８ａ 外壁
３８ｂ 下端面
４０   第２当接部
４０ａ 上面
４０ｂ 内壁
４０ｃ 下端面
４１   鍔部
【図１】
2013049466.tif 000003
【図２】
2013049466.tif 000004
【図３】
2013049466.tif 000005
【図４】
2013049466.tif 000006
【図５】
2013049466.tif 000007
【図６】
2013049466.tif 000008